【手続補正書】
【提出日】平成25年7月26日(2013.7.26)
【手続補正１】
【補正対象書類名】明細書
【補正対象項目名】発明の名称
【補正方法】変更
【補正の内容】
【発明の名称】基地局装置、移動局装置、および、通信方法
【手続補正２】
【補正対象書類名】明細書
【補正対象項目名】００２３
【補正方法】変更
【補正の内容】
【００２３】
（１）本発明の一態様による基地局装置は、サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを移動局装置に送信する基地局装置であって、前記基地局装置は、下りリンク制御情報フォーマットに依らず共通のパラメータを前記パラメータとして設定し、ある期間内に、共通のパラメータが設定された複数の下りリンク制御情報フォーマットを前記移動局装置に送信することを特徴としている。
【手続補正３】
【補正対象書類名】明細書
【補正対象項目名】００２４
【補正方法】変更
【補正の内容】
【００２４】
（２）また、本発明の一態様による基地局装置は、下りリンク制御情報フォーマットの種類に依らず共通のパラメータを前記パラメータとして設定することを特徴としている。
【手続補正４】
【補正対象書類名】明細書
【補正対象項目名】００２５
【補正方法】変更
【補正の内容】
【００２５】
（３）本発明の一態様による移動局装置は、サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを基地局装置から受信する移動局装置であって、前記移動局装置は、ある期間内に、複数の下りリンク制御情報フォーマットを前記基地局装置から受信し、下りリンク制御情報フォーマットに依らず共通のパラメータが前記パラメータとして設定されていれば、共通のパラメータに基づいてサウンディングリファレンスシグナルを設定して、前記基地局装置に送信することを特徴としている。
【手続補正５】
【補正対象書類名】明細書
【補正対象項目名】００２６
【補正方法】変更
【補正の内容】
【００２６】
（４）また、本発明の一態様による移動局装置は、前記期間の終わりから所定数以上後にある最初のＳＲＳサブフレームにて、前記サウンディングリファレンスシグナルを送信することを特徴としている。
【手続補正６】
【補正対象書類名】明細書
【補正対象項目名】００２７
【補正方法】変更
【補正の内容】
【００２７】
（５）また、本発明の一態様による移動局装置は、前記期間Ｔは、ＳＲＳサブフレームの周期をａＰｅｒｉｏｄ、サウンディングリファレンスシグナルが送信されるＳＲＳサブフレームをサブフレームｎとすると、ｎ−ｋ−ａＰｅｒｉｏｄ＋１≦Ｔ≦ｎ−ｋ，（ｋ＝４）で示される期間であることを特徴としている。
【手続補正７】
【補正対象書類名】明細書
【補正対象項目名】００２８
【補正方法】変更
【補正の内容】
【００２８】
（６）本発明の一態様による通信方法は、サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを移動局装置に送信する基地局装置における通信方法であって、前記基地局装置は、下りリンク制御情報フォーマットに依らず共通のパラメータを前記パラメータとして設定し、ある期間内に、共通のパラメータが設定された複数の下りリンク制御情報フォーマットを前記移動局装置に送信することを特徴としている。
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】特許請求の範囲
【補正対象項目名】全文
【補正方法】変更
【補正の内容】
【特許請求の範囲】
【請求項１】
サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを移動局装置に送信する基地局装置であって、
前記基地局装置は、
下りリンク制御情報フォーマットに依らず共通のパラメータを前記パラメータとして設定し、
ある期間内に、共通のパラメータが設定された複数の下りリンク制御情報フォーマットを前記移動局装置に送信することを特徴とする基地局装置。
【請求項２】
前記基地局装置は、
下りリンク制御情報フォーマットの種類に依らず共通のパラメータを前記パラメータとして設定することを特徴とする請求項１に記載の基地局装置。
【請求項３】
サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを基地局装置から受信する移動局装置であって、
前記移動局装置は、
ある期間内に、複数の下りリンク制御情報フォーマットを前記基地局装置から受信し、
下りリンク制御情報フォーマットに依らず共通のパラメータが前記パラメータとして設定されていれば、共通のパラメータに基づいてサウンディングリファレンスシグナルを設定して、前記基地局装置に送信することを特徴とする移動局装置。
【請求項４】
前記移動局装置は、
前記期間の終わりから所定数以上後にある最初のＳＲＳサブフレームにて、前記サウンディングリファレンスシグナルを送信することを特徴とする請求項３に記載の移動局装置。
【請求項５】
前記期間Ｔは、ＳＲＳサブフレームの周期をａＰｅｒｉｏｄ、サウンディングリファレンスシグナルが送信されるＳＲＳサブフレームをサブフレームｎとすると、
ｎ−ｋ−ａＰｅｒｉｏｄ＋１≦Ｔ≦ｎ−ｋ，（ｋ＝４）
で示される期間であることを特徴とする請求項３又は４に記載の移動局装置。
【請求項６】
サウンディングリファレンスシグナル（ＳＲＳ：Ｓｏｕｎｄｉｎｇ  Ｒｅｆｅｒｅｎｃｅ  Ｓｉｇｎａｌ）の送信要求と前記送信要求に応じてサウンディングリファレンスシグナルを送信するためのパラメータとに対応付けられて設定される情報フィールドを含む下りリンク制御情報フォーマットを移動局装置に送信する基地局装置における通信方法であって、
前記基地局装置は、
下りリンク制御情報フォーマットに依らず共通のパラメータを前記パラメータとして設定し、
ある期間内に、共通のパラメータが設定された複数の下りリンク制御情報フォーマットを前記移動局装置に送信することを特徴とする基地局装置における通信方法。